(57)【要約】【課題】レンズ鏡胴本体に対してレンズ保持枠を簡単な構造で、かつ、簡単な操作で光学調整を行うことができるレンズ装置を提供する。【解決手段】前玉レンズ１２のレンズ保持枠３５を、レンズ鏡胴本体１１に光学調整用の揺動機構を介して揺動自在に取り付ける。揺動機構は、レンズ鏡胴本体１１とレンズ保持枠３５との間に介在されてレンズ鏡胴本体１１とレンズ保持枠３５とを互いに離れる方向に付勢する板ばね部材４１と、レンズ鏡胴本体１１とレンズ保持枠３５との円周方向３箇所に設けられ、弾性手段３７の付勢力に抗してレンズ保持枠３５をレンズ鏡胴本体１１に対して光軸方向に進退させてレンズ保持枠３５を揺動させるＶ字状溝４３及びセットビス４５とから構成される。【選択図】    図４
2008225262.tif 000002
【特許請求の範囲】
【請求項１】
レンズ鏡胴本体にレンズ保持枠が揺動機構を介して揺動自在に取り付けられることにより光軸合わせ調整可能なレンズ装置において、
前記揺動機構は、
前記レンズ鏡胴本体と前記レンズ保持枠との間に介在されてレンズ鏡胴本体とレンズ保持枠とを互いに離れる方向又は互いに近づく方向に付勢する弾性手段と、
前記レンズ鏡胴本体と前記レンズ保持枠との円周方向３箇所に設けられ、前記弾性部材の付勢力に抗して前記レンズ保持枠を前記レンズ鏡胴本体に対して進退させてレンズ保持枠を揺動させる進退手段と、
を備えたことを特徴とするレンズ装置。
【請求項２】
前記揺動機構の前記弾性手段はリング状の板ばね部材から構成され、
前記揺動機構の前記進退手段は、前記レンズ鏡胴本体と前記レンズ保持枠のうち一方に形成されたＶ字状溝と、前記レンズ鏡胴本体と前記レンズ保持枠のうち他方に取り付けられるとともに前記Ｖ字状溝の一方の傾斜面に前記板ばね部材の付勢力により押圧当接されるセットビスとから構成され、該セットビスのねじ込み量を調整することにより、前記レンズ保持枠が前記レンズ鏡胴本体に対して進退されることを特徴とする請求項１に記載のレンズ装置。
【請求項３】
前記レンズ装置は、第１レンズ群、第２レンズ群、第３レンズ群、及び第４レンズ群からなる４群構成のレンズ装置であって、
前記第１レンズ群は前記レンズ保持枠に保持された前玉レンズであり、第２レンズ群は、撮影光軸方向に移動されるバリエータレンズであり、前記第３レンズ群は防振レンズであり、前記第４レンズ群はフォーカスレンズであることを特徴とする請求項１又は２に記載のレンズ装置。
【発明の詳細な説明】
【技術分野】
【０００１】
本発明はレンズ装置に係り、特にレンズ鏡胴本体にレンズ保持枠を揺動させて光学調整を行うレンズ装置に関する。
【背景技術】
【０００２】
レンズ装置のレンズ鏡胴に対してレンズ保持枠を光学する光学調整構造が、特許文献１に開示されている。
【０００３】
特許文献１に光学調整構造は、レンズ保持枠の後部に突起を形成し、この突起を、レンズ鏡胴に周方向に連なるように階段状に設けられた、調整形状部としての複数の階段面のうちいずれかに突き当てて、ベストな光学調整状態になるようレンズ保持枠とレンズ鏡胴との間隔調整を行う。この後、前記突起を前記階段面のうちいずれかに突き当てた状態で、レンズ保持枠を光軸と直交する方向に偏芯調整し、ベストな光学調整状態になった位置でレンズ保持枠とレンズ鏡胴とを接着により結合させるものである。
【特許文献１】特開２００２−３５０７０２号公報
【発明の開示】
【発明が解決しようとする課題】
【０００４】
しかしながら、特許文献１の光学調整構造は、レンズ保持枠に突起を形成するとともに、レンズ鏡胴に階段状の調整形状部を形成した複雑な構造を呈しており、また、その光学調整も間隔調整と偏芯位置調整の２つの調整を行う必要があるため、調整に手間がかかるという問題があった。
【０００５】
本発明はこのような事情に鑑みてなされたもので、レンズ鏡胴本体に対してレンズ保持枠を簡単な構造で、かつ、簡単な操作で光学調整を行うことができるレンズ装置を提供することを目的とする。
【課題を解決するための手段】
【０００６】
請求項１に記載の発明は、前記目的を達成するために、レンズ鏡胴本体にレンズ保持枠が揺動機構を介して揺動自在に取り付けられることにより光軸合わせ調整可能なレンズ装置において、前記揺動機構は、前記レンズ鏡胴本体と前記レンズ保持枠との間に介在されてレンズ鏡胴本体とレンズ保持枠とを互いに離れる方向又は互いに近づく方向に付勢する弾性手段と、前記レンズ鏡胴本体と前記レンズ保持枠との円周方向３箇所に設けられ、前記弾性部材の付勢力に抗して前記レンズ保持枠を前記レンズ鏡胴本体に対して進退させてレンズ保持枠を揺動させる進退手段と、を備えたことを特徴としている。
【０００７】
請求項１に記載の発明によれば、レンズ鏡胴本体とレンズ保持枠との間に弾性手段を介在させてレンズ鏡胴本体とレンズ保持枠とを互いに離れる方向又は互いに近づく方向に付勢する。そして、レンズ鏡胴本体とレンズ保持枠との円周方向３箇所に設けられた進退手段を適宜操作し、弾性部材の付勢力に抗して、又は弾性部材の付勢力を利用してレンズ保持枠をレンズ鏡胴本体に対して進退させることにより、光学調整を行う。これにより、レンズ鏡胴本体に対してレンズ保持枠を簡単な構造で光学調整を行うことができる。
【０００８】
請求項２に記載の発明は、請求項１において、前記揺動機構の前記弾性手段はリング状の板ばね部材から構成され、前記揺動機構の前記進退手段は、前記レンズ鏡胴本体と前記レンズ保持枠のうち一方に形成されたＶ字状溝と、前記レンズ鏡胴本体と前記レンズ保持枠のうち他方に取り付けられるとともに前記Ｖ字状溝の一方の傾斜面に前記板ばね部材の付勢力により押圧当接されるセットビスとから構成され、該セットビスのねじ込み量を調整することにより、前記レンズ保持枠が前記レンズ鏡胴本体に対して進退されることを特徴とする。
【０００９】
請求項２に記載の発明によれば、セットビスをねじ込むと、セットビスがＶ字状溝の傾斜面を押すため、その押す力のうち撮影光軸方向に働く力によってレンズ保持枠が移動される。また、セットビスを緩めるとレンズ保持枠は逆方向に移動される。よって、３箇所のセットビスのねじ込み量を適宜調整することにより、レンズ鏡胴本体に対するレンズ保持枠の姿勢を変更することができるので、光学調整を簡単に行うことができる。
【００１０】
請求項３に記載の発明は、請求項１又は２において、前記レンズ装置は、第１レンズ群、第２レンズ群、第３レンズ群、及び第４レンズ群からなる４群構成のレンズ装置であって、前記第１レンズ群は前記レンズ保持枠に保持された前玉レンズであり、第２レンズ群は、撮影光軸方向に移動されるバリエータレンズであり、前記第３レンズ群は防振レンズであり、前記第４レンズ群はフォーカスレンズであることを特徴とする。
【００１１】
請求項３に記載の発明は、４群レンズ構成のレンズ装置において、請求項１に記載の発明を適用した場合の好適なレンズ装置が示されている。このレンズ装置は光軸方向前方から後方に向けて、請求項１に記載のレンズ保持枠に保持された前玉レンズである第１レンズ群、焦点距離を変更するバリエータレンズである第２レンズ群、防振レンズである第３レンズ群、及びフォーカスレンズである第４レンズ群が配置されて構成されている。このような４群レンズ構成のレンズ装置において、前玉レンズの光学調整は、レンズ装置の組立後の最終調整作業として実施される。よって、請求項１の光学調整構造を備えた請求項３の４群レンズ構造のレンズ装置によれば、最終調整の光学調整が容易になる。
【発明の効果】
【００１２】
本発明に係るレンズ装置によれば、レンズ鏡胴本体とレンズ保持枠との間に弾性手段を介在させてレンズ鏡胴本体とレンズ保持枠とを互いに離れる方向又は互いに近づく方向に付勢し、そして、レンズ鏡胴本体とレンズ保持枠との円周方向３箇所に設けられた進退手段を適宜操作して光学調整を行う構造なので、レンズ鏡胴本体に対してレンズ保持枠を簡単な構造で光学調整を行うことができる。
【発明を実施するための最良の形態】
【００１３】
以下添付図面に従って、本発明に係るレンズ装置の好ましい実施の形態について詳説する。
【００１４】
図１には、実施の形態に係るレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８から構成されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１５】
第１レンズ群１２はいわゆる前玉レンズであり、第２レンズ群１４は焦点距離を変更するバリエータレンズ、第３レンズ群１６は手振れ等に起因する振動を打ち消す方向に駆動される防振レンズ、第４レンズ群１８は焦点を調整するフォーカスレンズである。
【００１６】
これらの第１乃至第４レンズ群１２〜１８は、レンズ鏡胴本体１１内に保持されている。また、レンズ鏡胴本体１１内には、光軸と平行な一対のガイドバー２８、３０（図１、図７参照）が挿通配置されており、このガイドバー２８、３０に第２レンズ群１４の保持枠３２及び第４レンズ群１８の保持枠３４がそれぞれスライド移動自在に支持されるとともに、第３レンズ群１６の筐体３６がガイドバー２８、３０に固定されている。なお、筐体３６をレンズ鏡胴本体１１に直接固定してもよい。
【００１７】
第２レンズ群１４には、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、第２レンズ群１４がガイドバー２８、３０に沿って光軸方向に前後移動され、所望の焦点距離に調整される。
【００１８】
第４レンズ群１８にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、第４レンズ群１８がガイドバー２８、３０に沿って光軸方向に前後移動され、焦点が合わされる。
【００１９】
次に、防振機構の構造について説明する。
【００２０】
図２は、防振レンズ１６を装備した筐体３６を後方から見た斜視図であり、図３は、図２に示した筐体３６からアクチュエータを除いた斜視図である。
【００２１】
これらの図に示すように、第３レンズ群（ここでは便宜上、防振レンズと称する）１６は、レンズ保持枠５０に保持され、このレンズ保持枠５０は撮影光軸Ｌに直交する面内で、異なる二方向に移動自在に支持される。以下、防振レンズ１６の移動方向をＸ方向（図２、図３の横方向）、Ｙ方向（図２、図３の縦方向）とする。また、防振レンズ１６をＸ方向に移動させる機構をＸ移動機構、Ｙ方向に移動させる機構をＹ移動機構と称する。
【００２２】
まず、Ｘ移動機構について説明する。
【００２３】
レンズ保持枠５０には、移動ガイドバー５２が固定される。移動ガイドバー５２は、Ｙ方向に配設され、この移動ガイドバー５２にスライダ５４が係合される。スライダ５４は、上辺部と左辺部から成るＬ字状に形成され、左辺部には二つのガイド部５６、５６が光軸方向に突出して形成される。各ガイド部５６にはガイド孔（不図示）がＹ方向に形成され、これらのガイド孔に移動ガイドバー５２が挿通される。これにより、スライダ５４が移動ガイドバー５２に沿ってＹ方向にスライド自在に係合される。したがって、レンズ保持枠５０はスライダ５４によってＹ方向にスライド自在に支持される。また、レンズ保持枠５０はＸ方向の動きがスライダ５４に規制され、スライダ５４をＸ方向に移動した際にレンズ保持枠５０もＸ方向に移動される。
【００２４】
なお、移動ガイドバー５２の図中下端部５２Ａは、筐体３６に形成されたＸ方向の長孔５８に係合されており、これによって、レンズ保持枠５０の倒れ（光軸方向に対する傾き）が防止される。
【００２５】
スライダ５４の上辺部には、Ｘ方向のガイド孔（不図示）が形成されており、このガイド孔に固定ガイドバー６０が挿通される。固定ガイドバー６０は、Ｘ方向に配設され、その両端部は筐体３６に固定される。これにより、スライダ５４は、固定ガイドバー６０に沿ってＸ方向にスライド自在に支持される。スライダ５４をＸ方向にスライドさせることによって、スライダ５４の左辺部に移動ガイドバー５２を介して係合されたレンズ保持枠５０がＸ方向にスライドされる。
【００２６】
また、スライダ５４の上辺部には、平面状のモータコイル（商品名「ファインパターンコイル」（登録商標））６２が固定され、このモータコイル６２の下面にフレキシブルプリント基板（以下、フレキと称する）６４の出力端が接着固定される。モータコイル６２は防振レンズ１６の外側周辺でＸ方向に配設されており、また、フレキ６４にホール素子等の位置センサ６６が位置決めされて固着されている。
【００２７】
フレキ６４は、モータコイル６２からＸ方向に引き出され、筐体３６の側面開口６８を介して筐体３６の外部に引き出される。外部に引き出されたフレキ６４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ６４は、電源供給や防振レンズ１６の動作制御を行うユニットに接続される。なお、筐体３６の側面開口６８は、スリット７０を介して筐体３６の端面に連通されており、このスリット７０にフレキ６４を通すことによってフレキ６４が側面開口６８の内部に配置される。
【００２８】
モータコイル６２の外側には、マグネット７２がモータコイル６２に対向して配置される。マグネット７２は、矩形の板状に形成され、Ｓ極７２ＡとＮ極７２ＢがＸ方向に並ぶように配設される。前述した位置センサ６６はマグネット７２のＳ極７２ＡとＮ極７２Ｂとの境界部に対向して配置され、磁場の変化を検出し、その検出した信号を、フレキ６４を介して前記ユニットに出力する。
【００２９】
マグネット７２の外側には、ヨークとなる金属板（不図示）が設けられる。金属板は、マグネット７２の磁力によってマグネット７２に吸着される。また、金属板は、マグネット７２よりも大きな矩形状に形成されており、その縁部がマグネット７２から突出した状態で取り付けられる。筐体３６の外面には、金属板の大きさの凹部が形成され、さらにその内側にマグネット７２の大きさの開口７４が形成されており、この筐体３６の凹部に金属板が収納され、開口７４にマグネット７２が収納される。
【００３０】
モータコイル６２の内側には、ヨークとなる金属板７６がモータコイル６２に対向してＸ方向に配置される。この金属板７６は、その一端が前記スリット７０に差し込まれ、その他端が筐体３６に形成された溝７８に差し込まれることにより筐体３６に固定される。
【００３１】
上記の如く構成されたＸ移動機構は、マグネット７２及び２枚の金属板（一方は不図示）７６によって形成される磁界内にモータコイル６２が配設されるので、モータコイル６２に通電することによって、モータコイル６２及びそれを支持するスライダ５４がＸ方向に力を受ける。したがって、スライダ５４及びレンズ保持枠５０がＸ方向に移動され、よって、防振レンズ１６がＸ方向に移動される。以上が防振機構の構造である。
【００３２】
次に、Ｙ移動機構について説明する。
【００３３】
レンズ保持枠５０には、移動ガイドバー８２が固定される。移動ガイドバー８２は、Ｘ方向に配設され、この移動ガイドバー８２にスライダ８４が係合される。スライダ８４は、下辺部と右辺部から成るＬ字状に形成され、下辺部には二つのガイド部８６、８６が光軸方向に突出して形成される。各ガイド部８６にはガイド孔（不図示）がＸ方向に形成され、これらのガイド孔に移動ガイドバー８２が挿通される。これにより、スライダ８４が移動ガイドバー８２に沿ってＸ方向にスライド自在に係合される。したがって、レンズ保持枠５０はスライダ８４によってＸ方向にスライド自在に支持される。また、レンズ保持枠５０はＹ方向の動きがスライダ８４に規制され、スライダ８４をＹ方向に移動した際にレンズ保持枠５０もＹ方向に移動される。
【００３４】
スライダ８４の右辺部には、Ｙ方向のガイド孔（不図示）が形成されており、このガイド孔に固定ガイドバー９０が挿通される。固定ガイドバー９０は、Ｙ方向に配設され、その両端部は筐体３６に固定される。これにより、スライダ８４は、固定ガイドバー９０に沿ってＹ方向にスライド自在に支持される。スライダ８４をＹ方向にスライドさせることによって、スライダ８４の下辺部に移動ガイドバー８２を介して係合されたレンズ保持枠５０がＹ方向にスライドされる。
【００３５】
また、スライダ８４の右辺部には、平面状のモータコイル（商品名「ファインパターンコイル」（登録商標））９２が固定され、このモータコイル９２の左面にフレキシブルプリント基板（以下、フレキと称する）９４の出力端が接着固定される。モータコイル９２は防振レンズ１６の外側周辺でＹ方向に配設されており、また、フレキ９４にホール素子等の位置センサ９６が位置決めされて固着されている。
【００３６】
フレキ９４は、モータコイル９２からＹ方向に引き出され、筐体３６の側面開口９８を介して筐体３６の外部に引き出される。外部に引き出されたフレキ９４は、外側に屈曲され、さらにＶ状（またはＵ状）の屈曲部が形成された後、レンズ鏡胴本体１１（図１参照）の所定の位置からレンズ鏡胴本体１１の外部に引き出される。引き出されたフレキ９４は、電源供給や防振レンズ１６の動作制御を行うユニットに接続される。なお、筐体３６の側面開口９８は、スリット１００を介して筐体３６の端面に連通されており、このスリット１００にフレキ９４を通すことによってフレキ９４が側面開口９８の内部に配置される。
【００３７】
モータコイル９２の外側には、マグネット１０２がモータコイル９２に対向して配置される。マグネット１０２は、矩形の板状に形成され、Ｓ極１０２ＡとＮ極１０２ＢがＹ方向に並ぶように配設される。前述した位置センサ９６はマグネット１０２のＳ極１０２ＡとＮ極１０２Ｂとの境界部に対向して配置され、磁場の変化を検出し、その検出した信号を、フレキ９４を介して前記ユニットに出力する。
【００３８】
マグネット１０２の外側には、ヨークとなる金属板（不図示）が設けられる。金属板は、マグネット１０２の磁力によってマグネット１０２に吸着される。また、金属板は、マグネット１０２よりも大きな矩形状に形成されており、その縁部がマグネット１０２から突出した状態で取り付けられる。筐体３６の外面には、金属板の大きさの凹部が形成され、さらにその内側にマグネット１０２の大きさの開口１０４が形成されており、この筐体３６の凹部に金属板が収納され、開口１０４にマグネット１０２が収納される。
【００３９】
モータコイル９２の内側には、ヨークとなる金属板１０６がモータコイル９２に対向してＹ方向に配置される。この金属板１０６は、その一端が前記スリット１００に差し込まれ、その他端が筐体３６に形成された溝１０８に差し込まれることにより筐体３６に固定される。
【００４０】
上記の如く構成されたＹ移動機構は、マグネット１０２及び２枚の金属板（一方は不図示）１０６によって形成される磁界内にモータコイル９２が配設されるので、モータコイル９２に通電することによって、モータコイル９２及びそれを支持するスライダ８４がＹ方向に力を受ける。したがって、スライダ８４及びレンズ保持枠５０がＹ方向に移動され、よって、防振レンズ１６がＹ方向に移動される。以上が防振機構の構造である。
【００４１】
図４は、第１レンズ群（ここでは便宜上、前玉レンズと称する）１２のレンズ保持枠３５がレンズ鏡胴本体１１に光学調整用の揺動機構を介して揺動自在に取り付けられた断面図が示されている。
【００４２】
同図に示す揺動機構は、レンズ鏡胴本体１１とレンズ保持枠３５との間に介在されてレンズ鏡胴本体１１とレンズ保持枠３５とを互いに離れる方向に付勢する弾性手段３７と、レンズ鏡胴本体１１とレンズ保持枠３５との円周方向３箇所に設けられ、弾性手段３７の付勢力に抗してレンズ保持枠３５をレンズ鏡胴本体１１に対して光軸方向に進退させてレンズ保持枠３５を揺動させる進退手段３９とから構成される。この進退手段３９は、円周方向において等間隔に配置されている。
【００４３】
図５は半断面図であるが、弾性手段３７はリング状の板ばね部材４１から構成されている。また、図４に示した進退手段３９は、図６に示すようにレンズ保持枠３５の外周部の３箇所（２箇所は不図示）に形成されたＶ字状溝４３と、レンズ鏡胴本体１１に形成されたねじ孔１１Ａに螺合されてＶ字状溝４３の一方の傾斜面４３Ａに板ばね部材４１の付勢力によって押圧当接されるセットビス４５とから構成されている。
【００４４】
図６の板ばね部材４１は、図７に示すように被写体光をレンズ鏡胴本体１１内に取り込むための開口部４７が形成された略リング状の内側フランジ部４９に沿って図６の如く配置される。開口部４７は、レンズ鏡胴本体１１内の左右両側にステンレス製のガイドバー２８、３０が配置されるため、縦長形状の長孔に形成されている。すなわち、開口部４７を真円形状にすると、その開口部の側方から入射した有害光がガイドバー２８、３０に反射して、ゴースト現象を引き起こすからである。よって、ガイドバー２８、３０に到達する有害光をカットするために、開口部４７は図７の如く縦長形状の長孔に形成されている。
【００４５】
また、開口部４７の内周面で反射した有害光によるゴースト現象を防止するために、内周フランジ部４９には図８に示すリング状のマスク５１が貼着されている。このマスク５１の開口部５３は、開口部４７に対応した縦長形状であって、内周フランジ部４９の開口部４７よりも若干小さめに形成されている。これにより、開口部４７の内周面に到達する光がマスク５１によってカットされるため、ゴースト現象を防止できる。
【００４６】
マスク５１には、マスク５１を内側フランジ部４９に位置決めするための矩形状突出部５１Ａ、５１Ａと三角状突出部５１Ｂ、５１Ｂが所定の位置に一体形成されている。また、これらの突出部５１Ａ、５１Ｂに対応して内側フランジ部４９には、矩形状凹部４９Ａ、４９Ａと三角状凹部４９Ｂ、４９Ｂが形成されている。三角状突出部５１Ｂ、５１Ｂと三角状凹部４９Ｂ、４９Ｂは左右対象位置に配置され、矩形状突出部５１Ａ、５１Ａと矩形状凹部４９Ａ、４９Ａは撮影光軸Ｌに対して対象位置に配置される。したがって、三角状突出部５１Ｂ、５１Ｂを三角状凹部４９Ｂ、４９Ｂに嵌合させるとともに、矩形状突出部５１Ａ、５１Ａを矩形状凹部４９Ａ、４９Ａに嵌合させることにより、マスク５１は内側フンラジ部４９に対して上下左右及び表裏も規制されて位置決めされる。マスク５１の表面（被写体側面）には、接着シートが一体又は別体に形成され、この接着シートによって外部から浸入する塵埃や、後述するセットビス４５によって削られたレンズ保持枠３５の屑を接着するようになっている。よって、マスク５１の位置決めにおいて、マスク５１の表裏を規定する矩形状突出部５１Ａ、５１Ａと矩形状凹部４９Ａ、４９Ａとが必要になる。
【００４７】
図６に示したセットビス４５及びＶ字状溝４３は、円周上において等間隔に３箇所配置される。また、図６において、板ばね部材４１の付勢力によりセットビス４５の下部傾斜面４５Ａは、Ｖ字状溝４３の傾斜面４３Ａに押圧当接されている。
【００４８】
この状態でセットビス４５をねじ込むと、セットビス４５の傾斜面４５ＡがＶ字状溝４３の傾斜面４３Ａを押すため、その押す力のうち撮影光軸方向に働く力（図６上で右方向に働く力）によってレンズ保持枠３５が図６上で右方向に移動される。また、セットビス４５を緩めるとレンズ保持枠３５は、板ばね部材４１の付勢力によって図６上で左方向に移動される。よって、３箇所のセットビス４５のねじ込み量を適宜調整することにより、レンズ鏡胴本体１１に対してレンズ保持枠３５を揺動でき、レンズ保持枠３５の姿勢を変更することができるので、光学調整を簡単に行うことができる。
【００４９】
なお、光学調整とは、コリメータにより点像を確認しながら行う光学調整であり、レンズ保持枠３５をレンズ鏡胴本体１１に対して適宜姿勢変更し、点像がはっきりと見えるベストな位置でレンズ保持枠３５をレンズ鏡胴本体１１に接着剤等によって固定する。
【００５０】
また、実施の形態では、板ばね部材４１によってレンズ鏡胴本体１１とレンズ保持枠３５とを互いに離れる方向に付勢したが、これに限定するものではなく、付勢力が逆方向に働く弾性手段によってレンズ鏡胴本体１１とレンズ保持枠３５とを互いに近づく方向に付勢しても同様の効果を得ることができる。また、レンズ保持枠３５側にＶ字状溝４３を形成し、レンズ鏡胴本体１１側にセットビス４５を取り付けたが、レンズ鏡胴本体１１の外周にレンズ保持枠３５が嵌合される構造のものでは、レンズ保持枠３５側にセットビス４５を取り付け、レンズ鏡胴本体１１側にＶ字状溝４３を形成すればよい。
【００５１】
一方で、実施の形態の４群レンズ構成のレンズ装置１０において、前玉レンズ１２の光学調整は、レンズ装置１０の組立後の最終調整作業として実施される。よって、実施の形態の光学調整構造を備えた４群レンズ構造のレンズ装置１０によれば、最終調整の光学調整が容易になる。
【図面の簡単な説明】
【００５２】
【図１】実施の形態のレンズ装置の構成を示した断面図
【図２】図１に示したレンズ装置の防振レンズを装備した筐体を撮影光軸の後方から見た斜視図
【図３】図２に示した筐体からアクチュエータを除いた斜視図
【図４】前玉レンズのレンズ保持枠とレンズ鏡胴本体と接合部分を示した断面図
【図５】レンズ鏡胴本体側に装着された板ばね部材を示した半断面図
【図６】セットビスとＶ字状溝との係合状態を示した要部拡大断面図
【図７】レンズ鏡胴本体の内側ブランジ部を示した斜視図
【図８】レンズ鏡胴本体の内側ブランジ部にマスクが取り付けられた正面図
【符号の説明】
【００５３】
１０…レンズ装置、１１…レンズ鏡胴本体、１２…第１レンズ群、１４…第２レンズ群、１６…第３レンズ群、１８…第４レンズ群、２０…色分解プリズム、２２、２４、２６…撮像素子、２８、３０…ガイドバー、３２、３４、５０…レンズ保持枠、３５…レンズ保持枠、３７…弾性手段、３９…進退手段、４１…板ばね部材、４３…Ｖ字状溝、４５…セットビス、５１…マスク、６２、９２…平面状モータコイル、７２、１０２…マグネット
【図１】
2008225262.tif 000003
【図２】
2008225262.tif 000004
【図３】
2008225262.tif 000005
【図４】
2008225262.tif 000006
【図５】
2008225262.tif 000007
【図６】
2008225262.tif 000008
【図７】
2008225262.tif 000009
【図８】
2008225262.tif 000010